(57)【要約】      （修正有）【課題】脚部のストレッチ運動と同時に、身体の脚部のひねり運動も実行できるように角度が回転する、股割りスウィングステッパーを提供する。【解決手段】ハンドル１１を有するベース１０の両側辺に、枢接部１２によりそれぞれ第一、第二側架２０，３０を枢接し、滑動装置４０，５０が第一、或いは、第二側架上に滑動設置される。滑動装置はフックにより抵抗素子の端部を掛設する。抵抗素子のもう一端はベース側辺の滑輪装置を囲繞して第一、第二側架固定端上のフックに掛設され、両脚の横向けの開閉運動を達成する。ローラー装置上に更に枢座を有し、ペダル４１，５１底面は対応するスリーブを設置し、その間にペダルを円滑に回転させるプラスチックリングを設置し、枢座上は特定角度の弧槽を開設し、スリーブが弧槽に対応して穿孔を設置する。制限素子が穿孔を貫通して、弧槽に挿入し、運動器具は、脚部の角度を制限する回転運動効果を達成する。【選択図】図１
0003149388.tif 000002
【実用新案登録請求の範囲】
【請求項１】
角度が回転するレッグスプリット（股割り）スウィングステッパーは、
前端から上に延伸するハンドルを有し、両側辺にそれぞれ枢接部を有するベースと、
それぞれ、前記ベース両側辺の枢接部に枢接される第一、第二側架と、
それぞれ、ペダル、ローラー装置を有し、前記ペダルは底部の前記ローラー装置により滑動するように、前記第一、或いは、第二側架上に設置され、両脚が前記ペダル上で横向けの開閉運動を達成する滑動装置と、
からなり、
前記滑動装置の前記ローラー装置上に更に枢座を有し、前記ペダル底面は対応するスリーブを設置し、前記枢座上は特定角度の弧槽を開設し、前記スリーブが前記弧槽に対応して穿孔を設置し、制限素子が前記穿孔を貫通して、前記弧槽に挿入し、前記ステッパーは特定の角度で回転することができることを特徴とする角度が回転するスウィングステッパー。
【請求項２】
前記ペダルの前記スリーブは前記ローラ装置の前駆枢座前に設置され、その間にプラスチックリングを有して、前記プラスチックリングにより前記ペダルの回転が円滑になることを特徴とする請求項１に記載のスウィングステッパー。
【請求項３】
前記滑動装置は、更に、極限位置制限装置を有し、前記極限位置制限装置は、阻止棒と阻止体を有し、前記阻止棒は前記滑動装置底部に固設され、前記阻止体は前記第一、第二側架に固設されて、前記阻止棒の位置を制限し、前記極限位置制限装置により、前記滑動装置が設定範囲を超えないようにすることを特徴とする請求項１に記載のスウィングステッパー。
【請求項４】
前記制限素子はねじで、前記穿孔は螺孔であることを特徴とする請求項１に記載のスウィングステッパー。
【請求項５】
前記滑動装置は、更に、抵抗素子と滑輪装置を有し、前記ローラー装置のフックが前記抵抗素子の一端部に掛設され、前記抵抗素子のもう一端は前記ベース側辺の前記滑輪装置を囲繞して前記第一、第二側架固定端上のフックに掛設されることを特徴とする請求項１に記載のスウィングステッパー。
【請求項６】
前記抵抗素子は弾性ロープであることを特徴とする請求項５に記載のスウィングステッパー。
【考案の詳細な説明】
【技術分野】
【０００１】
本考案はスウィングステッパーに関するものであって、特に、太腿内外の十分な運動効果と脚部の角度制限ができる回転運動が行え、筋肉と筋脈ストレッチ、及び、ひねり運動ができる健康器具に関する。
【背景技術】
【０００２】
公知の健康器具構造は多くが身体の各部位の筋肉を鍛錬する設計で、脚部の鍛錬方式としては、ランニング、太腿挟合、ステップ、ストレッチなどがあり、両太腿内外側の筋肉と筋脈ストレッチトレーニング両方ができる健康器具は少ない。
【０００３】
公知の脚部健康器具には、両太腿内外側の筋肉と筋脈ストレッチトレーニングを達成するものがあるが、使用において単調で、その他の運動部位に対しては運動不足であるという欠点がある。
【０００４】
よって、公知の健康器具の構造設計により達成される運動方式が、ランニング、太腿挟合、ステップ、ストレッチ、足上げ運動などであり、両太腿内外側の筋肉と筋脈ストレッチトレーニングに対し特別に設計された健康器具が少なく、更に多くの異なる運動方式が可能な健康器具を提供するため、公知技術では、上述の運動方式と異なる脚部運動健康器具を提供し、更に多くの運動方式の選択性を増加しているだけである。
【考案の概要】
【考案が解決しようとする課題】
【０００５】
本考案の目的は、角度が回転するレッグスプリット（股割り）スウィングステッパーを提供し、公知の健康器具により達成される運動方式が単調であることを改善し、運動者は、脚部のストレッチ運動と同時に、身体や脚部のひねり運動も実行でき、運動に更に変化を与えることである。
【課題を解決するための手段】
【０００６】
本考案の角度が回転するスウィングステッパーは、主に、ベースと、第一、第二側架と、滑動装置と、からなる。ベースは、その前端から上に延伸するハンドルを有する。ベース両側辺の枢接部は、それぞれ第一、第二側架を枢接し、滑動装置は、それぞれ、ペダル、ローラー装置、抵抗素子、及び、滑輪装置、を有する。ペダルは底部のローラー装置により滑動するように、第一、或いは、第二側架上に設置される。ローラー装置はフックにより抵抗素子の端部を掛設する。抵抗素子のもう一端はベース側辺の滑輪装置を囲繞して第一、第二側架固定端上のフックに掛設され、両脚の水平の開閉運動を達成する。ローラー装置上に更に枢座を有し、ペダル底面は対応するスリーブを設置し、その間にペダルを円滑に回転させるためのゴムリングを設置し、枢座上は特定角度の弧槽を開設し、スリーブが弧槽に対応して穿孔を設置する。制限素子が穿孔を貫通して、弧槽に挿入し、運動器具は、脚部の角度を制限する回転運動効果を達成する。
【考案の効果】
【０００７】
公知の健康器具により達成される運動方式が単調であることを改善し、また、本健康器具は、占有空間を減少させることができ、収納の便利性を増加する。
【図面の簡単な説明】
【０００８】
【図１】本考案の第一実施例の立体図である。
【図２】本考案の第一実施例の立体分解図である。
【図３】本考案の第一実施例の動作図である。
【図４】本考案の第一実施例の局部断面図である。
【図５】本考案の第一実施例のもう一方向の局部断面図である。
【図６】本考案の第二実施例の立体図である。
【考案を実施するための形態】
【０００９】
図１〜図６は、本考案の角度が回転するスウィングステッパーは、ベース１０と、第一側架２０と、第二側架３０と、滑動装置４０、５０と、からなる。
【００１０】
ベース１０は、前端に、上向けに延伸するハンドル１１を有し、ベース１０の両側辺はそれぞれ、枢接部１２を設置する。
【００１１】
第一側架２０と第二側架３０は、それぞれ、ベース１０両側辺の枢接部１２に枢接される。
【００１２】
滑動装置４０、５０は、それぞれ、ペダル４１、５１、ローラー装置４２、５２、抵抗素子４３、５３、及び、滑輪装置４４、５４、を有する。ペダル４１、５１は底部のローラー装置４２、５２により滑動するように、第一、第二側架２０、３０上に設置される。ローラー装置４２、５２のフック４２１、５２１は抵抗素子４３、５３の一端部を掛設する。抵抗素子４３、５３のもう一端はベース１０側辺の滑輪装置４４、５４を囲繞して第一、第二側架２０、３０固定端上のフック２１、３１に掛設され、両脚は、ペダル４１、５１上で、水平に開閉運動できる。
【００１３】
滑動装置４０、５０のローラー装置４２、５２上に更に枢座４２２、５２２を有し、ペダル４１、５１底面は対応するスリーブ４１１、５１１を設置し、その間にプラスチックリング６０を設置し、枢座４２２、５２２上は特定角度の弧槽４２２１、５２２１を開設し、スリーブ４１１、５１１が弧槽４２２１、５２２１に対応して穿孔４１１１、５１１１を設置する。制限素子８０が穿孔４１１１、５１１１を貫通して、弧槽４２２１、５２２１に挿入され、運動器具は、身体と脚部の角度を制限する回転運動効果を達成する。
【００１４】
制限素子８０はねじで、穿孔４１１１、５１１１は螺孔である。
【００１５】
滑動装置４０、５０は、更に、極限位置制限装置７０を有し、極限位置制限装置７０は、阻止棒７１と阻止体７２を有し、阻止棒７１は滑動装置４０、５０底部に固設され、阻止体７２は第一、第二側架２０、３０内側に固設され、阻止棒７０の位置は、極限位置制限装置７０により、滑動装置４０、５０が設定範囲から滑出しない。
【００１６】
ベース１０は、枢設部１２により第一側架２０、及び、第二側架３０を枢接するので、第一、第二側架２０、３０は使用時、水平状態に展開し、使用後、垂直に折り畳むことができ、収納時の占有空間を減少させることができる。
【００１７】
抵抗素子４３、５３は弾性素子か弾性ロープである。
【００１８】
角度が回転するスウィングステッパーは、運動する人が滑動装置４０、５０のペダル４１、５１上に立って、両脚を横方向に拡張して施力する時、両滑動装置４０、５０が、第一、第二側架２０、３０上で横向けに滑移し、両滑動装置４０、５０は同時に、抵抗素子４３、５３を引く力を受け、運動者は、抵抗素子４３、５３の力より大きい力を施力して、両滑動素子４０、５０を横に拡張させ、緩めると、抵抗素子４３、５３は両滑動装置４０、５０を元の位置に戻し、これにより、反覆運動が太腿内外の筋肉を運動させ、筋脈のストレッチを強化する。また、ペダル４１、５１は、スリーブ４１１、５１１によりローラー装置４２、５２の枢座４２２、５２２に結合され、回転を生成し、枢座４２２、５２２上に特定角度の弧槽４２２１、５２２１を開設し、スリーブ４１１、５１１が弧槽４２２１、５２２１に対応して、穿孔４１１１、５１１１を設置し、制限素子８０が穿孔４１１１、５１１１を貫通して、弧槽４２２１、５２２１に挿入され、健康器具は身体と脚部の角度制限の回転運動効果を達成する。よって、運動者は、脚部のストレッチ運動と同時に、身体や脚部のひねり運動も実行でき、運動に更に変化を与える。
【００１９】
図１と図６の差異は、図１の実施例は、抵抗素子４３、５３、及び、抵抗素子４３、５３の設置に伴って増加する設備、例えば、滑輪装置４４、５４等が不要で、これでも、ひねり運動を実施することができる。
【００２０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、特許請求の範囲で指定した内容を基準とする。
【符号の説明】
【００２１】
１０  ベース
１１  ハンドル
１２  枢接部
２０  第一側架
２１、３１、４２１、５２１  フック
３０  第二側架
４０、５０  滑動装置
４１、５１  ペダル
４１１、５１１スリーブ
４１１１、５１１１穿孔
４２、５２  ローラー装置
４２２、５２２  枢座
４２２１、５２２１  弧槽
４３、５３  抵抗素子
４４、５４  滑輪装置
６０  プラスチックリング
７０  極限位置制限装置
７１  阻止棒
７２  阻止体
８０  制限素子
【図１】
0003149388.tif 000003
【図２】
0003149388.tif 000004
【図３】
0003149388.tif 000005
【図４】
0003149388.tif 000006
【図５】
0003149388.tif 000007
【図６】
0003149388.tif 000008